(57)【要約】【課題】狭い空間での踏板６の取付作業をなくするとともに、踏板６の取付手間がかからず、現場施工も容易で、しかも見栄えもよい階段の提供。【解決手段】階段フレーム３ａ（３ｂ）に踏板受け５が所定間隔に設けられ、該踏板受け５に踏板６が取り付けられた階段であって、上記踏板６の下面には下方が開口した嵌合溝を有する取付金具１８が固定され、この取付金具１８を上記踏板受け５の上部に嵌合するとともに上記踏板受け５に係止し、かつ上記踏板受け５に階段の手前側から固着具３１で固定した。【選択図】図７
2008138415.tif 000002
【特許請求の範囲】
【請求項１】
階段フレームに踏板受けが所定間隔に設けられ、該踏板受けに踏板が取り付けられた階段であって、
上記踏板の下面には下方が開口した嵌合溝を有する取付金具が固定され、この取付金具を上記踏板受けの上部に嵌合するとともに上記踏板受けに係止し、かつ上記踏板受けに階段の手前側から固着具で固定したことを特徴とする階段。
【請求項２】
上記取付金具と上記踏板受けの各奥側には上記取付金具が奥行き方向に係止可能な係止部が互いに形成され、上記取付金具と踏板受けの各手前側には互いに固着具で締結可能な係合部が形成されていることを特徴とする、請求項１に記載の階段。
【請求項３】
上記踏板受けには、上記取付金具と踏板受けとをカバーするカバー材が装着されていることを特徴とする、請求項１又は２に記載の階段。
【請求項４】
上記カバー材には、上記固着具による締結作業をするための作業穴と、該作業穴を塞ぐキャップとを備えたことを特徴とする、請求項１、２又は３に記載の階段。
【発明の詳細な説明】
【技術分野】
【０００１】
本発明は、階段フレームに所定間隔で設けられた踏板受けに踏板を取り付けてなる階段に関する。
【背景技術】
【０００２】
従来の階段はササラ桁に踏板を直接に取り付けたものが多いが、最近は階段フレームに踏板受け材を所定間隔に設け、この踏板受けの上に踏板を固定する構造のものも増えている。
【０００３】
ところで、踏板を踏板受け材の上面に固定するため、踏板にはビス穴が貫通され、踏板の上部から上記ビス穴に固定ビスを挿通して踏板受け材にビス止めしていた。このとき踏板上部には固定ビスの頭部が露出するので、上記ビス穴の上部に木栓をして処理していた。
【０００４】
また、特許文献１に示されるように、踏板の下面には取付金具を突設し、この取付金具を階段フレームの踏板受け材の上端中空部内に挿入し、踏板受け材の階段の昇降方向に対して左右の側面から固定ビスを貫通させて取付金具を固定していた。
【０００５】
ところが、上述の取付構造によれば、踏板の上部からビス固定する構成では、ビス穴を埋めるための木栓が必要であるとともに、踏板の見栄えが損なわれるという問題があり、また、上記技術によれば、取付金具は踏板受け材の左右両側からビスで固定していたので、使用するビスの本数が多くなるとともに、踏板の下面の狭い空間でビスの取付作業を行なわなければならず、手間がかかり作業効率が悪かった。このため、特に見栄えの問題を解消するために、踏板受けに踏板を接着剤で固定する方式が知られている。
【特許文献１】特開２００３−２７１３５８公報
【発明の開示】
【発明が解決しようとする課題】
【０００６】
しかしながら、接着剤による固定作業は体裁はよいが作業効率はあまりよくない。
【０００７】
本発明は上記問題点を解決し、狭い空間での踏板の取付作業をなくするとともに、踏板の取付手間がかからず、現場施工も容易であり、しかも見栄えもよい階段を提供することをその課題とする。
【課題を解決するための手段】
【０００８】
前記課題を解決するため、請求項１に係る発明は、階段フレームに踏板受けが所定間隔に設けられ、該踏板受けに踏板が取り付けられた階段であって、上記踏板の下面には下方が開口した嵌合溝を有する取付金具が固定され、この取付金具を上記踏板受けの上部に嵌合するとともに上記踏板受けに係止し、かつ上記踏板受けに階段の手前側から固着具で固定したことを特徴とする。
【０００９】
請求項２に係る発明は、請求項１において、上記取付金具と上記踏板受けの各奥側には上記取付金具が奥行き方向に係止可能な係止部が互いに形成され、上記取付金具と踏板受けの各手前側には互いに固着具で締結可能な係合部が形成されていることを特徴とする。
【００１０】
請求項３に係る発明は、上記踏板受けには、上記取付金具と踏板受けとをカバーするカバー材が装着されていることを特徴とする。
【００１１】
請求項４に係る発明は、請求項１、２又は３において、上記カバー材には、上記固着具による締結作業をするための作業穴と、該作業穴を塞ぐキャップとを備えたことを特徴とする。
【発明の効果】
【００１２】
請求項１に係る発明によれば、上記踏板の下面には下方が開口した嵌合溝を有する取付金具が固定され、この取付金具を上記踏板受けの上部に嵌合するとともに、上記踏板受けに係止し、かつ上記踏板受けに階段の手前側から固着具で固定する構成であり、このように踏板受けに係止する作業はビス止めなどに比べて作業は容易であるし、取付金具を踏板受けに固着具で固定する作業も、階段の昇降方向の手前側から行なうので、狭い空間での踏板の取付作業をなくするとともに、踏板の取付手間がかからず、現場施工も楽に行なうことができる。
【００１３】
しかも、木栓を使用しないので、踏板の上面の見栄えもよい。
【００１４】
請求項２に係る発明によれば、踏板の取付金具と踏板受けの係止部は、それぞれ踏板の奥側に設けられているが、奥行き方向に係止可能に設けられているので、踏板を取付金具とともに押し込むだけで係止することができ、踏板の取付金具と踏板受けの係合部もそれぞれ作業の手前側に互いに固着具で締結可能に設けられているので、踏板の取付作業は非常に容易である。
【００１５】
請求項３に係る発明によれば、踏板受けには、上記取付金具と踏板受けとをカバーするカバー材が装着され、上記固着具を外部から隠すことができるので、階段の見栄えがよい。
【００１６】
請求項４に係る発明によれば、上記カバー材には、固着具が露出する側に開口する開口部と、該開口部を塞ぐキャップとを備えたので、初めにカバー材を取り付けておき、開口部から固着具で取付金具と踏板受けを固定した後にキャップで開口部を塞げばよいので、作業が容易である。
【発明を実施するための最良の形態】
【００１７】
図１は本発明を建物の内部に設置された折り返し階段において実施した場合の形態を示す側面図であり、図２はその一部の斜視図である。この折り返し階段は、建物の下階１と上階２との間に金属製の下側の階段フレーム３ａと上側の階段フレーム３ｂとを折り返しにして連続させて設置したもので、上下の階段フレーム３ｂ、３ａには間隔をおいて踏板受け５を介して踏板６が取り付けられている。なお、７は壁躯体を示す。
【００１８】
階段フレーム３ａ（３ｂ）はアルミニウムなどの金属からなる中空の部材で、図３に示されるように、上部にはあり溝状の開口部８が形成されている。また、開口部８の溝底の中間部には凹部９が形成され、凹部９の肩部には斜めのビス受け部１０が形成されている。
【００１９】
階段フレーム３ａ（３ｂ）には図４（ａ）（ｂ）（ｃ）に示されるように、踏板受け５が所定間隔に設けられている。踏板受け５は略三角形の２枚の側面板５ａ、５ｂを折り曲げて溶接した側面視略三角形の部材で、一方の側面板５ａの内側面に、コ字形に形成した他方の側面板５ｂを当てて溶接固定することにより、中空部１１が上下に開口するように形成したもので、一方の側面板５ａの下部の両端には斜めの傾斜片１２が形成されている。傾斜片１２にはビス挿通穴１３が形成されている。また、傾斜片１２の間には上記両側面板の下端から直角に張出す当接片１４が形成されている。
【００２０】
また、踏板受け５の上部の一端側には係合板（係合部）１５が斜め（斜辺部に対して直角）に形成され、該係合板１５にはビス挿通穴１６が形成されている。さらに、上記踏板受け５の他端側の上部には係止ピン（係止部）１７が側方に突出している。
【００２１】
次に、上記踏板受け５の上部には踏板６が固定されている。踏板６は木製で、図５に示されるように、その下面には細長の取付金具１８がビス１９と接着剤２０で固定されている。取付金具１８は下方が開口した断面下向きコ字状に形成され、嵌合溝２１を有するとともに、一端には係合板（係合部）２２が長手に対して直交する方向に形成され、他端には係止溝（係止部）２３が形成されている。
【００２２】
なお、上記踏板受け５には上記取付金具１８と踏板受け５とをカバーするカバー材２４が装着されている。図６に示されるように、上記カバー材２４は中空で上記踏板受け５よりも一回り大きく形成され、その一側部には凹溝２５が形成されているとともに、凹溝２５には作業穴２６が形成されている。また、凹溝２５には主に上記作業穴２６を塞ぐキャップ２７が係止可能に設けられている。
【００２３】
上記階段フレームに踏板６を取り付けるときは、図７及び図８に示されるように、まず左右一対の階段フレーム３ａ（３ｂ）を平行に配置し、該階段フレーム３ａ（３ｂ）の上部あり溝状開口部８の溝底に踏板受け５の下部の当接片１４を当接し、傾斜片１２のビス挿通穴１３からビス３０を挿通して階段フレーム３ａ（３ｂ）のビス受け部１０に螺着して固定する。踏板受け５を取り付けるにあたっては、まず階段フレーム３ａ（３ｂ）の最下部にキャッププレート２８を開口部８に取り付け、その上部に踏板受け５の下部を突き当てて位置出しをし、踏板受け５をビス３０で固定する。次に、固定された踏板受け５の上部に次段のキャッププレート２８を取り付け、さらにその上に次段の踏板受け５を固定するという手順で、キャッププレート２８を踏板受け５の位置出し用のゲージとして使いながら順次踏板受け５を固定していく。これによれば、キャッププレート２８の長さを調整することにより蹴上げの高さを自由に調整することができる。そして、各踏板受け５にカバー材２４をかける。キャップ２７は取り付けないでおく。
【００２４】
次に、踏板６の取付金具１８の嵌合溝２１に各踏板受け５の上部を嵌合する。そして、取付金具１８の係止溝２３を踏板受け５の奥側にある係止ピン１７に対し奥行き方向に係止させる。このとき、踏板受け５の上部手前側の係合板１５には取付金具１８の係合板２２が係合するから、カバー材２４の作業穴２６から取付金具１８の係合板２２を貫通させたビス（固着具３１）を踏板受け５の係合板１５に螺着して締結する。
【００２５】
最後に、上記カバー材２４の凹溝２５にキャップ２７を取り付けて上記ビスの頭部を外部から見えないように処理する。以上により、踏板６の取付けが完了する。
【００２６】
上記構成によれば、踏板６の下面の取付金具１８は係止とビス止めによって固定されるが、踏板受け５に係止する作業はビス止めなどに比べて作業は容易であるし、取付金具１８を踏板受け５に固着具で固定する作業も手前側から行なうので、狭い空間での踏板６の取付作業をなくするとともに、踏板６の取付手間がかからず、現場施工も楽に行なうことができる。
【００２７】
しかも、木栓を使用しないので、踏板６の上面の見栄えもよい。
【００２８】
また、踏板６の取付金具１８と踏板受け５の係止部は、それぞれ踏板６の奥側に設けられているが、奥行き方向に係止可能に設けられているので、踏板６を取付金具１８とともに押し込むだけで係止することができ、踏板６の取付金具１８と踏板受け５の係合部もそれぞれ手前側に互いに固着具で締結可能に設けられているので、踏板６の取付作業は非常に容易である。
【００２９】
さらに、踏板受け５には、上記取付金具１８と踏板受け５とをカバーするカバー材２４が装着され、上記固着具を外部から隠すことができるので、階段の見栄えがよい。
【００３０】
しかも、上記カバー材２４には、固着具３１が露出する側に開口する凹溝２５と、該凹溝２５を塞ぐキャップ２７とを備えたので、初めにカバー材２４を取り付けておき、開口部から固着具で取付金具１８と踏板受け５を固定した後にキャップ２７で凹溝２５を塞げばよいので、作業が容易である。
【図面の簡単な説明】
【００３１】
【図１】本発明に係る階段の側面図
【図２】上記階段の一部の分解斜視図
【図３】階段フレームの断面図
【図４】（ａ）（ｂ）（ｃ）は踏板受けの正面図、背面図及び平面図
【図５】踏板の分解斜視図
【図６】カバー材の分解斜視図
【図７】階段の一部の拡大側面図
【図８】図７を正面側からみた断面図
【図９】図８のＸ−Ｘ線上の断面図
【符号の説明】
【００３２】
３ａ、３ｂ  階段フレーム
５  踏板受け
６  踏板
１８  取付金具
２１  嵌合溝
【図１】
2008138415.tif 000003
【図２】
2008138415.tif 000004
【図３】
2008138415.tif 000005
【図４】
2008138415.tif 000006
【図５】
2008138415.tif 000007
【図６】
2008138415.tif 000008
【図７】
2008138415.tif 000009
【図８】
2008138415.tif 000010
【図９】
2008138415.tif 000011